(57)【要約】【課題】  充電式電池を用いることにより携帯可能で、長尺のコイルを用いることができるために磁気治療に十分な磁力が得られ、しかも磁気治療に有効な変動磁場が得られ、更に、所望の周波数にての極性の反転が可能な電池式磁気治療器を提供することを課題とする。【解決手段】  電池５を使用する電源部と、磁界を発生するコイル２と、出力電流を所定時間毎に切り替えて前記コイル２に連結して前記コイルの磁極の極性を一定周期で反転させるための電流制御回路とを含む。前記電流制御回路は、スイッチ回路３とこれを制御するタイマー付マイコン４とから構成し、前記スイッチ回路３は、正・逆転切り替えドライバで構成する。【選択図】  図１
2005118329.tif 000002
【特許請求の範囲】
【請求項１】
電池を使用する電源部と、磁界を発生するコイルと、前記コイルに連結して出力電流を所定時間毎に切り替えて前記コイルの磁極の極性を一定周期で反転させるための電流制御回路とから成る電池式磁気治療器。
【請求項２】
前記電流制御回路は、スイッチ回路とこれを制御するタイマー付マイコンとから成る請求項１に記載の電池式磁気治療器。
【請求項３】
前記スイッチ回路は、正・逆転切り替えドライバである請求項２に記載の電池式磁気治療器。
【発明の詳細な説明】
【技術分野】
【０００１】
本発明は電池式磁気治療器、より詳細には、交流磁界による磁気を患部に作用させ、血行を促進させてコリをなくす磁気治療を行う、家庭用の磁気治療器であって、携帯可能な充電タイプの電池式磁気治療器に関するものである。
【背景技術】
【０００２】
一般に家庭用電気磁気治療器としては、家庭用の商用電源（日本の場合は５０Ｈｚ又は６０Ｈｚ）を用いて交流磁気を発生させる交流磁気治療器が主流である。この交流磁気治療器の外に永久磁石を用いた磁気治療器もあるが、前者は後者に対し、Ｎ極とＳ極が交互に入れ替わるために、磁力（強さ）が変わる、作用する範囲が広い、着衣のまま使用可能、血液の流れに関係なく体内に電気を起こす（永久磁石の場合は、磁力内を血液が流れることによって血液に電気を起こすと考えられている。）、等といった優位性を有するとの指摘がなされている。
【０００３】
この磁気治療効果の高い交流磁気治療器を携帯可能にするため、電池を電源とするものが種々提案されている。
【０００４】
実開昭６２−２４８４１号公報（特許文献１）記載のものは、磁界発生コイルの中側の空間に電池と変動電流発生回路を配置したもので、この場合は、電流の方向ではなく電流の強さを変化させることにより磁石の強弱を惹起させるもので、Ｓ・Ｎ極の極性変動はない。
【０００５】
実開昭６４−２８６５９号公報（特許文献２）に記載のものは、電池駆動する高周波磁気制御回路によりインダクタンスに高周波電流を流して高周波電磁界を発生させ、そのインダクタンスを人体に密着させて磁気治療効果を発現させようとするもので、磁界強度を出すことを主眼としていて、この場合もＳ・Ｎ極の極性変動はない。
【０００６】
実開平１−８２０５７号公報（特許文献３）に記載のものは、治療器本体内に内蔵した２次電池により高周波電磁界発生用インダクタンスを作用させるもので、そのインダクタンスを前記２次電池充電用のインダクタンスと兼用にしたことを特徴とするもので、引用文献２と同様、Ｓ・Ｎ極は固定である。
【０００７】
以上の特許文献１乃至３に記載の交流磁気治療器の場合は、何れも極性に変化がなく、それらを以てしては、上記交流磁気治療器の特長を十分に生かすことができないと考えられる。因みに、これらのもので実用化された例は知られていない。
【０００８】
極性変化による変動磁場を利用するものとして、実開平１−１５０９５９号公報（特許文献４）、特開２００２−２６３２０２号公報（特許文献５）、並びに、特開２００３−６２０９１号公報（特許文献６）に記載のものがある。これらは何れも、永久磁石を回転させることにより変動磁場を得るものである。
【０００９】
ところで、家庭用電気磁気治療器で、その励磁用コイルに商用電源より電圧を供給する場合には、十分な電圧が供給されて十分な磁力が得られるが、携帯可能でどこでも手軽に使用できる利点のある充電タイプの電池式磁気治療器の場合は、通例、電圧が１０ボルト前後と低いものとなるため、十分な磁力が得られない。
【００１０】
十分な磁力を得るためにはコイルの巻数を多くする必要があり、そのためにコイルを巻くボビンは、長尺のものとならざるを得ない。いうまでもなく、励磁用のコイルとしてこのような長尺のものを用いる場合に、上記特許文献４乃至６におけるような回転方式を採用することは、事実上出来ない。
【００１１】
【特許文献１】実開昭６２−２４８４１号公報
【特許文献２】実開昭６４−２８６５９号公報
【特許文献３】実開平１−８２０５７号公報
【特許文献４】実開平１−１５０９５９号公報
【特許文献５】特開２００２−２６３２０２号公報
【特許文献６】特開２００３−６２０９１号公報
【発明の開示】
【発明が解決しようとする課題】
【００１２】
本発明は、上述した従来技術の持つ問題点に鑑みてなされたもので、充電式電池を用いることにより携帯可能で、長尺のコイルを用いることができるために磁気治療に十分な磁力が得られ、しかも磁気治療に有効な変動磁場が得られ、更に、所望の周波数にての極性の反転が可能な電池式磁気治療器を提供することを課題とする。
【課題を解決するための手段】
【００１３】
上記課題を解決するための本発明に係る電池式磁気治療器は、電池を使用する電源部と、磁界を発生するコイルと、出力電流を所定時間毎に切り替えて前記コイルに連結して前記コイルの磁極の極性を一定周期で反転させるための電流制御回路とを含むことを特徴とする。
【００１４】
好ましくは、前記電流制御回路は、スイッチ回路とこれを制御するタイマー付マイコンとから構成し、前記スイッチ回路は、正・逆転切り替えドライバで構成する。
【発明の効果】
【００１５】
本発明に係る電池式磁気治療器によれば、電源として充電式電池を用いることができるために携帯可能で、長尺のコイルを用いることができるために磁気治療に十分な磁力が得られ、しかも磁気治療に有効な変動磁場が得られる効果がある。
【００１６】
また、タイマー付マイコン等の操作によって、極性の反転周期を選択設定できるので、最適の１又はそれ以上の個数のＳ・Ｎ極変化周期にて磁気治療を行うことが可能である。
【発明を実施するための最良の形態】
【００１７】
本発明の好ましい実施の形態を添付図面に依拠して説明する。本発明に係る電池式磁気治療器は、携帯性を重視した適宜形状及びサイズの筐体１内に、コイル２、スイッチ回路３及びタイマー付マイコン４から成る電流制御回路、及び電池５を適宜配置して構成される。タイマー付マイコン４は、スイッチ回路３の出力を所定時間毎に切り替える機能を有する。
【００１８】
従って、このスイッチ回路３の入力側に電池５が、出力側にコイル２が、また、制御信号入力側にタイマー付マイコン４がそれぞれ接続され、所定方向に電池５からの電流が流れると、出力電流の方向が、タイマー付マイコン４からの制御信号によって切り替わるので、鉄芯６の先端部の磁極も対応して反転を繰り返すことになる。
【００１９】
なお、スイッチ回路３は、図１では、その具体的な回路図は省略してあるが、正・逆転切り替えドライバ等の公知のものを使用できる。例えば、この正・逆転切り替えドライバは、４つのトランジスタでブリッジを構成する回路であり、出力の正・負の切り替え動作は、マイコンからの信号により制御される。
【００２０】
また、タイマー付マイコン４は、制御信号のサイクルの設定変更をすることにより、所望の周波数にて鉄芯６両端の磁極の極性を反転させることができる。これにより、所望の１個以上のＳ・Ｎ極変化周波数を以て磁気治療を行うことが可能となる。
【図面の簡単な説明】
【００２１】
【図１】本発明に係る電池式磁気治療器の構造例を示す図である。
【符号の説明】
【００２２】
１    筐体
２    コイル
３    スイッチ回路
４    タイマー付マイコン
５    電池
６    鉄芯
【図１】
2005118329.tif 000003